【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
１回の撮影で異なる記録形式の複数の画像データを生成して記録する撮像装置であって、
１回の撮影で生成される異なる記録形式の複数の画像データのうち、いずれか１つの記録形式の画像データの記録サイズを設定するサイズ設定手段と、
前記サイズ設定手段により前記いずれか１つの記録形式の画像データの記録サイズが設定されると、１回の撮影で記録される他の記録形式の画像データの記録サイズを、前記サイズ設定手段によって設定された記録サイズに設定変更する設定変更手段と、を有することを特徴とする撮像装置。
【請求項２】
さらに、前記異なる記録形式のいずれか１つの記録形式で記録を行う単一記録モードと、１回の撮影で複数の異なる記録形式で記録を行う複数記録モードのいずれかを選択するモード選択手段を有し、
前記設定変更手段は、前記複数記録モードに設定されている場合に、前記サイズ設定手段により前記いずれか１つの記録形式の画像データについての記録サイズが設定されると、１回の撮影で記録される他の記録形式の記録サイズを前記サイズ設定手段によって設定された記録サイズに設定変更することを特徴とする請求項１に記載の撮像装置。
【請求項３】
前記異なる記録形式は、少なくとも圧縮記録形式と非圧縮記録形式とを含むことを特徴とする請求項１または２に記載の撮像装置。
【請求項４】
さらに、前記サイズ設定手段で、予め設定されたサイズを超える記録サイズが設定された場合、前記非圧縮記録形式について画像データのビット幅を設定する手段を有することを特徴とする請求項３に記載の撮像装置。
【請求項５】
さらに、前記サイズ設定手段で、予め設定されたサイズを超える記録サイズが設定された場合、前記圧縮記録形式について画像データの圧縮率を設定する手段を有することを特徴とする請求項３に記載の撮像装置。
【請求項６】
１回の撮影で異なる記録形式の複数の画像データを生成して記録する撮像装置であって、
前記異なる記録形式のいずれか１つの記録形式で記録を行う単一記録モードと、複数の異なる記録形式で同時記録を行う複数記録モードのいずれかを選択するモード選択手段と、
前記モード選択手段にて前記単一記録モードが選択される場合に、当該単一記録モードで設定される記録形式の画像データの記録サイズを設定するサイズ設定手段と、
前記モード選択手段により前記単一記録モードから前記複数記録モードへ設定を変更する際に、前記複数記録モードにて１回の撮影で記録される他の記録形式の画像データの記録サイズを、前記単一記録モード時に設定されていた画像データの記録サイズに設定変更する設定変更手段と、を有することを特徴とする撮像装置。
【請求項７】
前記異なる記録形式は、少なくとも圧縮記録形式と非圧縮記録形式とを含むことを特徴とする請求項６に記載の撮像装置。
【請求項８】
さらに、前記サイズ設定手段で予め設定されたサイズを超える記録サイズが設定された場合、前記非圧縮記録形式について画像データのビット幅を設定する手段を有することを特徴とする請求項７に記載の撮像装置。
【請求項９】
さらに、前記サイズ設定手段で予め設定されたサイズを超える記録サイズが設定された場合、前記圧縮記録形式について画像データの圧縮率を設定する手段を有することを特徴とする請求項７に記載の撮像装置。
【請求項１０】
１回の撮影で異なる記録形式の複数の画像データを生成して記録する撮像装置の制御方法であって、
前記撮像装置のサイズ設定手段が、１回の撮影で生成される異なる記録形式の複数の画像データのうち、いずれか１つの記録形式の画像データの記録サイズを設定するサイズ設定ステップと、
前記サイズ設定ステップにより前記いずれか１つの記録形式の画像データの記録サイズが設定されると、前記撮像装置の設定変更手段が、１回の撮影で記録される他の記録形式の画像データの記録サイズを、前記サイズ設定ステップによって設定された記録サイズに設定変更する設定変更ステップと、を有することを特徴とする制御方法。
【請求項１１】
さらに、前記撮像装置のモード選択手段が、前記異なる記録形式のいずれか１つの記録形式で記録を行う単一記録モードと、１回の撮影で複数の異なる記録形式で記録を行う複数記録モードのいずれかを選択するモード選択ステップを有し、
前記設定変更ステップでは、前記複数記録モードに設定されている場合に、前記サイズ設定ステップにより前記いずれか１つの記録形式の画像データについての記録サイズが設定されると、１回の撮影で記録される他の記録形式の記録サイズを前記サイズ設定ステップによって設定された記録サイズに設定変更することを特徴とする請求項１０に記載の制御方法。
【請求項１２】
前記異なる記録形式は、少なくとも圧縮記録形式と非圧縮記録形式とを含むことを特徴とする請求項１０または１１に記載の制御方法。
【請求項１３】
さらに、前記サイズ設定ステップで、予め設定されたサイズを超える記録サイズが設定された場合、前記非圧縮記録形式について画像データのビット幅を設定するステップを有することを特徴とする請求項１２に記載の制御方法。
【請求項１４】
さらに、前記サイズ設定ステップで、予め設定されたサイズを超える記録サイズが設定された場合、前記圧縮記録形式について画像データの圧縮率を設定するステップを有することを特徴とする請求項１２に記載の制御方法。
【請求項１５】
１回の撮影で異なる記録形式の複数の画像データを生成して記録する撮像装置の制御方法であって、
前記撮像装置のモード選択手段が、前記異なる記録形式のいずれか１つの記録形式で記録を行う単一記録モードと、複数の異なる記録形式で同時記録を行う複数記録モードのいずれかを選択するモード選択ステップと、
前記モード選択ステップにて前記単一記録モードが選択される場合に、前記撮像装置のサイズ設定手段が、当該単一記録モードで設定される記録形式の画像データの記録サイズを設定するサイズ設定ステップと、
前記モード選択ステップにより前記単一記録モードから前記複数記録モードへ設定を変更する際に、前記撮像装置の設定変更手段が、前記複数記録モードにて１回の撮影で記録される他の記録形式の画像データの記録サイズを、前記単一記録モード時に設定されていた画像データの記録サイズに設定変更する設定変更ステップと、を有することを特徴とする制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００９
【補正方法】変更
【補正の内容】
【０００９】
上記課題を解決し、目的を達成するために、本発明に係る撮像装置は、１回の撮影で異なる記録形式の複数の画像データを生成して記録する撮像装置であって、１回の撮影で生成される異なる記録形式の複数の画像データのうち、いずれか１つの記録形式の画像データの記録サイズを設定するサイズ設定手段と、前記サイズ設定手段により前記いずれか１つの記録形式の画像データの記録サイズが設定されると、１回の撮影で記録される他の記録形式の画像データの記録サイズを、前記サイズ設定手段によって設定された記録サイズに設定変更する設定変更手段と、を有する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】